(57)【要約】【課題】部品点数を増加することなく、組付性を向上することができる電線配索構造を提供する。【解決手段】電線３と、電線３の一端が接続され電線３が屈曲されて配索される配索面５を有する接続部材７と、接続部材７の配索面５に設けられ配索面５上に配索される電線３の一端側を保持する保持部９とを備えた電線配索構造１において、保持部９が、配索面５に電線３を導出可能に配索面５から接続部材７と連続する一部材で立設され電線３の一端側を覆い電線３の配索面５に沿った移動を規制する規制壁１１と、規制壁１１の配索面５と反対側の端部に設けられ電線３の一端側を規制壁１１内に挿入可能な挿入開口１３と、挿入開口１３近傍に配置され規制壁１１から対向する規制壁１１との間に電線３を挿入可能なように電線３の長さ方向に互い違いに規制壁１１と連続する一部材で突設され電線３の配索面５から離れる移動を規制する一対の規制突起１５，１５とを有した。【選択図】図３
2017041313.tif 000002
【特許請求の範囲】
【請求項１】
電線と、少なくとも前記電線の一端が接続され前記電線が屈曲されて配索される配索面を有する接続部材と、この接続部材の前記配索面に設けられ前記配索面上に配索される前記電線の一端側を保持する保持部とを備えた電線配索構造であって、
前記保持部は、前記配索面に前記電線を導出可能に前記配索面から前記接続部材と連続する一部材で立設され前記電線の一端側を覆い前記電線の前記配索面に沿った移動を規制する規制壁と、この規制壁の前記配索面と反対側の端部に設けられ前記電線の一端側を前記規制壁内に挿入可能な挿入開口と、この挿入開口近傍に配置され前記規制壁から対向する前記規制壁との間に前記電線を挿入可能なように電線の長さ方向に互い違いに前記規制壁と連続する一部材で突設され前記電線の前記配索面から離れる移動を規制する一対の規制突起とを有することを特徴とする電線配索構造。
【発明の詳細な説明】
【技術分野】
【０００１】
本発明は、電線配索構造に関する。詳細には、電線が接続される接続部材の配索面上に電線が屈曲されて配索される電線配索構造に関する。
【背景技術】
【０００２】
従来、電線配索構造としては、電線と、この電線の一端が接続される接続部材としてのコネクタハウジングと、このコネクタハウジングに取り付けられコネクタハウジングから引き出された電線の一端側を屈曲して保持する保持部としての電線カバーとを備えたものが知られている（例えば、特許文献１参照）。
【０００３】
このような電線配索構造では、コネクタハウジングから引き出された電線を、配索面上に屈曲して配索しなければならないような限られた配置スペースに対して、保持部によって屈曲された電線の配索状態を保持することができる。
【先行技術文献】
【特許文献】
【０００４】
【特許文献１】特開２０１３−８４９６号公報
【発明の概要】
【発明が解決しようとする課題】
【０００５】
しかしながら、上記特許文献１のような電線配索構造では、接続部材と保持部とが別体で形成され、保持部が接続部材に取り付けられているので、部品点数が増加すると共に、接続部材に対する保持部の組付けと、接続部材及び保持部に対する電線の組付けとが必要であり、組付性が低下していた。
【０００６】
そこで、この発明は、部品点数を増加することなく、組付性を向上することができる電線配索構造の提供を目的としている。
【課題を解決するための手段】
【０００７】
請求項１記載の発明は、電線と、少なくとも前記電線の一端が接続され前記電線が屈曲されて配索される配索面を有する接続部材と、この接続部材の前記配索面に設けられ前記配索面上に配索される前記電線の一端側を保持する保持部とを備えた電線配索構造であって、前記保持部は、前記配索面に前記電線を導出可能に前記配索面から前記接続部材と連続する一部材で立設され前記電線の一端側を覆い前記電線の前記配索面に沿った移動を規制する規制壁と、この規制壁の前記配索面と反対側の端部に設けられ前記電線の一端側を前記規制壁内に挿入可能な挿入開口と、この挿入開口近傍に配置され前記規制壁から対向する前記規制壁との間に前記電線を挿入可能なように電線の長さ方向に互い違いに前記規制壁と連続する一部材で突設され前記電線の前記配索面から離れる移動を規制する一対の規制突起とを有することを特徴とする。
【０００８】
この電線配索構造では、保持部が、電線の配索面に沿った移動を規制する規制壁と、電線の配索面から離れる移動を規制する一対の規制突起とを有するので、配索面上における屈曲された電線の配索状態を安定して保持することができる。
【０００９】
また、保持部は、規制壁が配索面から接続部材と連続する一部材で立設され、一対の規制突起が規制壁と連続する一部材で突設されているので、接続部材と保持部とを別体で形成する必要がなく、部品点数が増加することがない。
【００１０】
さらに、保持部は、規制壁が配索面に電線を導出可能であり、規制壁の配索面と反対側の端部に電線の一端側を規制壁内に挿入可能な挿入開口が設けられ、一対の規制突起が規制壁との間に電線を挿入可能であるので、接続部材と一体に形成された保持部に対して容易に電線を組付けることができる。
【００１１】
従って、このような電線配索構造では、保持部によって配索面上における電線の配索状態を保持しつつ、部品点数を増加することなく、組付性を向上することができる。
【発明の効果】
【００１２】
本発明によれば、部品点数を増加することなく、組付性を向上することができる電線配索構造を提供することができるという効果を奏する。
【図面の簡単な説明】
【００１３】
【図１】本発明の実施の形態に係る電線配索構造が適用される電気接続箱の側面図である。
【図２】図１の上面図である。
【図３】本発明の実施の形態に係る電線配索構造の斜視図である。
【図４】本発明の実施の形態に係る電線配索構造の要部拡大斜視図である。
【図５】本発明の実施の形態に係る電線配索構造の断面図である。
【発明を実施するための形態】
【００１４】
図１〜図５を用いて本発明の実施の形態に係る電線配索構造について説明する。
【００１５】
本実施の形態に係る電線配索構造１は、電線３と、少なくとも電線３の一端が接続され電線３が屈曲されて配索される配索面５を有する接続部材７と、この接続部材７の配索面５に設けられ配索面５上に配索される電線３の一端側を保持する保持部９とを備えている。
【００１６】
そして、保持部９は、配索面５に電線３を導出可能に配索面５から接続部材７と連続する一部材で立設され電線３の一端側を覆い電線３の配索面５に沿った移動を規制する規制壁１１と、この規制壁１１の配索面５と反対側の端部に設けられ電線３の一端側を規制壁１１内に挿入可能な挿入開口１３と、この挿入開口１３近傍に配置され規制壁１１から対向する規制壁１１との間に電線３を挿入可能なように電線３の長さ方向に互い違いに規制壁１１と連続する一部材で突設され電線３の配索面５から離れる移動を規制する一対の規制突起１５，１５とを有する。
【００１７】
ここで、図１，図２を用いて本実施の形態に係る電線配索構造１が適用される電気接続箱１０１について説明する。
【００１８】
電気接続箱１０１は、ヒューズエレメント（不図示）などを収容し、上面が開口されたフレーム１０３内に収容される。なお、フレーム１０３内には、その他の部品１０５が電気接続箱１０１に隣接して収容されている。
【００１９】
このフレーム１０３内に収容された電気接続箱１０１の上方には、電気接続箱１０１や周辺機器などを制御する電子部品や回路などが形成された回路基板１０７が配置されている。
【００２０】
このような電気接続箱１０１と回路基板１０７とは、一端が電気接続箱１０１に接続され、他端が回路基板１０７に接続される電線３（図３参照）を介して電気的に接続される。
【００２１】
この電気接続箱１０１と回路基板１０７との電線３による接続において、電気接続箱１０１の上方に回路基板１０７の接続部がある場合には、電気接続箱１０１と回路基板１０７との間に電線３を大きく屈曲させて配索しなくても、容易に電線３の両端を電気接続箱１０１と回路基板１０７とに接続することができる。
【００２２】
しかしながら、電気接続箱１０１から大きく離れた位置、例えば、部品１０５の上方に回路基板１０７の接続部がある場合には、電気接続箱１０１と回路基板１０７との間に電線３を屈曲して配策させる必要がある。
【００２３】
以下、図３〜図５を用いて、このような場所に適用される電線配索構造１について説明する。
【００２４】
図３〜図５に示すように、電線３は、一端が端子１７を介して電気接続箱１０１（図１参照）のような接続部材７に接続され、他端が接続部材７の上方に配置される回路基板１０７（図１参照）のような被接続部材（不図示）の一端から離れた位置に接続される。
【００２５】
この電線３は、一端に設けられた端子１７が接続部材７に接続された後、接続部材７と被接続部材との間に位置するように、接続部材７の配索面５上に屈曲されて配索され、他端が被接続部材に接続される。
【００２６】
このように電線３は、一端が接続部材７に接続され、他端が被接続部材に接続されることにより、接続部材７と被接続部材とを電気的に接続する。
【００２７】
接続部材７は、上述した電気接続箱１０１のように筐体状に形成され、被接続部材と対向する一面が、電線３の一端が接続され電線３が屈曲されて配索される配索面５となっている。
【００２８】
この接続部材７の配索面５の電線３の一端が接続される部分には、電線３の一端側を保持する保持部９が設けられている。
【００２９】
保持部９は、接続部材７と連続する一部材で形成され、規制壁１１と、挿入開口１３と、一対の規制突起１５，１５とを備えている。
【００３０】
規制壁１１は、接続部材７の配索面５から上方に向けて接続部材７と連続する一部材でコ字状に立設されている。
【００３１】
この規制壁１１は、電線３の一端側を覆うように配置され、コ字状の開口部分から一端が接続部材７に接続された電線３が配索面５上に向けて導出される。
【００３２】
このような規制壁１１は、電線３の外周と所定の間隔をもって配置されており、電線３の大きな屈曲を可能にすると共に、電線３が所定量以上に屈曲されるときに電線３と当接し、電線３の一端側の配索面５に沿った移動を規制する。
【００３３】
このように規制壁１１によって電線３の配索面５に沿った移動を規制することにより、電線３が異常に屈曲されることを防止でき、配索面５上における電線３の配索状態を保持することができる。
【００３４】
なお、規制壁１１と電線３の外周とを常に当接するようにしてもよいが、この場合には電線３の大きな屈曲ができなかったり、電線３を屈曲させたときに、常に規制壁１１に電線３の屈曲による反力が加わり、規制壁１１に損傷が生じる可能性があるので、規制壁１１と電線３の外周との間にある程度の隙間をもたせることが好ましい。
【００３５】
挿入開口１３は、規制壁１１の配索面５と反対側の端部に設けられ、電線３の一端側を規制壁１１内に挿入可能な開口となっている。
【００３６】
このように規制壁１１の端部を開口させて挿入開口１３とすることにより、接続部材７と規制壁１１とが一体に形成されていても、電線３の一端を接続部材７に接続することができると共に、電線３の一端側の周囲を規制壁１１によって覆うことができる。
【００３７】
一対の規制突起１５，１５は、規制壁１１の挿入開口１３近傍、すなわち配索面５と反対側の端部近傍に、電線３の長さ方向に互い違いに配置されている。
【００３８】
この一対の規制突起１５，１５は、それぞれ規制壁１１から連続する一部材で対向する規制壁１１に向けて突設され、先端が対向する規制壁１１との間に電線３を規制壁１１内に挿入可能な間隔をもって配置されている。
【００３９】
このように一対の規制突起１５，１５と規制壁１１との間に電線３を規制壁１１内に挿入可能な隙間をもたせることにより、規制壁１１と一対の規制突起１５，１５とが一体に形成されていても、電線３の一端側を規制壁１１内に挿入することができる。
【００４０】
加えて、一対の規制突起１５，１５を電線３の長さ方向に互い違いに配置することにより、規制壁１１の同一位置から対向するように突設したときに比較して、対向する規制壁１１と規制突起１５との隙間を確保しつつ、規制突起１５の長さを確保し、規制突起１５の剛性を保持することができる。
【００４１】
このような一対の規制突起１５，１５は、電線３の配索面５と対向する上方に位置され、電線３の外周と当接し、電線３の配索面５から離れる移動を規制する。
【００４２】
このように一対の規制突起１５，１５によって電線３の配索面５から離れる移動を規制することにより、電線３が配索面５上から浮き上がることを防止でき、配索面５上における電線３の配索状態を保持することができる。
【００４３】
加えて、一対の規制突起１５，１５を電線３の長さ方向に互い違いに配置することにより、規制突起１５による電線３の浮き上がり防止の機能を保持しつつ、挿入開口１３からの規制壁１１内への電線３の挿入を容易に行うことができる。
【００４４】
このような電線配索構造１では、保持部９が、電線３の配索面５に沿った移動を規制する規制壁１１と、電線３の配索面５から離れる移動を規制する一対の規制突起１５，１５とを有するので、配索面５上における屈曲された電線３の配索状態を安定して保持することができる。
【００４５】
また、保持部９は、規制壁１１が配索面５から接続部材７と連続する一部材で立設され、一対の規制突起１５，１５が規制壁１１と連続する一部材で突設されているので、接続部材７と保持部９とを別体で形成する必要がなく、部品点数が増加することがない。
【００４６】
さらに、保持部９は、規制壁１１が配索面５に電線３を導出可能であり、規制壁１１の配索面５と反対側の端部に電線３の一端側を規制壁１１内に挿入可能な挿入開口１３が設けられ、一対の規制突起１５，１５が規制壁１１との間に電線３を挿入可能であるので、接続部材７と一体に形成された保持部９に対して容易に電線３を組付けることができる。
【００４７】
従って、このような電線配索構造１では、保持部９によって配索面５上における電線３の配索状態を保持しつつ、部品点数を増加することなく、組付性を向上することができる。
【００４８】
なお、本発明の実施の形態に係る電線配索構造では、接続部材が筐体状に形成されているが、これに限らず、電子部品などが搭載された回路基板のような板状に形成された接続部材などであってもよく、接続部材は少なくとも電線が配索される配索面を有するものであればどのようなものであってもよい。
【００４９】
また、規制壁は、配索面に対して電線の引出側が開口されたコ字状に形成されているが、これに限らず、例えば、電線の引出側と反対側も開口させ、電線を挟んで形成された一対の側壁などでもよく、電線の配索面に沿った移動を規制できるものであれば、規制壁はどのような形態であってもよい。
【符号の説明】
【００５０】
１…電線配索構造
３…電線
５…配索面
７…接続部材
９…保持部
１１…規制壁
１３…挿入開口
１５…規制突起
【図１】
2017041313.tif 000003
【図２】
2017041313.tif 000004
【図３】
2017041313.tif 000005
【図４】
2017041313.tif 000006
【図５】
2017041313.tif 000007